(57)【要約】【課題】船上から造成予定地に播種したときに、潮流により流失することなく、着実に海底に着床し、効率よくアマモの生育を行いうるアマモ播種用材料を簡単かつ安価に提供する。【解決手段】海水よりも大きい比重をもつ非水溶性固体片からなる基材に、底生生物の周辺物質に対する付着又は捕捉機能を利用してアマモ種子を結合担持させてなるアマモ播種用材料であって、海水に、それよりも大きい比重をもつ非水溶性固体片からなる基材と、アマモ種子と周辺物質に対する付着又は捕捉機能をもつ底生生物とを加え、育成することにより製造する。【選択図】  なし【特許請求の範囲】
【請求項１】
海水よりも大きい比重をもつ非水溶性固体片からなる基材に、底生生物の周辺物質に対する付着又は捕捉機能を利用してアマモ種子を結合担持させてなるアマモ播種用材料。
【請求項２】
海水よりも大きい比重をもつ固体片が、鉱石、金属、セラミックス、コンクリート及び貝殻の中から選ばれた少なくとも１種の固体片である請求項１記載のアマモ播種用材料。
【請求項３】
底生生物が足糸付着性貝又は棲管性多毛類である請求項１又は２記載のアマモ播種用材料。
【請求項４】
海水に、それよりも大きい比重をもつ非水溶性固体片からなる基材と、アマモ種子と周辺物質に対する付着又は捕捉機能をもつ底生生物とを加え、育成することを特徴とするアマモ播種用材料の製造方法。
【発明の詳細な説明】
【０００１】
【発明の属する技術分野】
本発明は、埋立などにより臨海域の面積が縮少するに従って、棲息適地が著しく減少してきたアマモ場を回復するために用いられる新規なアマモ播種材料、その製造方法及びそのアマモ播種用材料を用いて、簡単かつ効率よくアマモ場を造成する方法に関するものである。
【０００２】
【従来の技術】
アマモは、単子葉植物ヒルムシロ科に属する海生の沈水性の多年生草であり、地下茎で繁茂し、幅７〜１５ｍｍ、長さ３０〜１５０ｃｍの細長い帯状の緑色の葉を密生する。このものは、水深１〜１０ｍの海底に生育し、いわゆるアマモ場を形成する。そして、このアマモ場は、魚介類の産卵成育場となるだけでなく、底砂の移動を阻止し、海中の懸濁物の沈降を促進して自然浄化作用をうながすことにより、海洋環境を良好に保持するための役割を果している。
【０００３】
しかしながら、近年、臨海部開発による埋立て工業の増大や、産業、生活排水の流入による海水の汚濁及び富栄養化に起因する海中光量の不足などが原因となって、アマモの生息適地が減少し、沿岸域の生態系が変化し、自然環境がそこなわれる傾向がみられる。そのため、アマモ場を人工的に造成し、自然環境を回復することが社会的に重要な課題の１つとして採り上げられるようになった。
【０００４】
ところで、アマモ場の造成方法は、アマモ株を採取し、造成予定地に移植する方法と、アマモ種子を採取して造成予定地に播種する方法の２つの方法に大別される。前者としては、例えば自生しているアマモ場から草丈１０〜１５０ｃｍのアマモ類の根茎部を粘土で包み、一体化して海底に移植する方法（特許文献１参照）やアマモ類の根茎部をセルローススポンジのシートで包み込んで結束し、これを海底に移植、固定する方法（特許文献２参照）などが知られている。
【０００５】
また、後者は、単に船上から種子を蒔くだけでは、種子や着床後の幼苗が潮流によって造成予定地外に流出するので、それを防止するための手段を講じる必要があり、これまで腐食性材料からなるネット状の袋体にアマモ種子を含む生育基盤材を充填して海底に沈降敷設する方法（特許文献３参照）、ゲル化物にアマモ種子を混合し分散させた培養砂を海底に敷設する方法（特許文献４参照）、海水より比重の大きい粘土様物質からなる塊の表層にアマモの種子を埋め込み、海底に埋設する方法（特許文献５参照）などが提案されている。
【０００６】
アマモ株を移植する方法は、ダイバーが１本１本のアマモ株を採取し、移植する必要があることから、広大な面積のアマモ場を造成するためには多大の労力、時間、費用を必要とするという欠点があるし、また、造成予定地に必要とする量のアマモ株が既存の天然のアマモ場から調達できないこともあり、必ずしも実用的な方法とはいえない。
【０００７】
また、ネット状袋体にアマモ種子を充填して蒔く方法、ゲル化物にアマモ種子を混合して分散させた培養砂を敷設する方法、粘土様物質にアマモ種子を埋め込み埋設する方法などは、多大の材料、労力又は大きな設備を必要とするため、コスト高になるのを免れないという欠点がある。
【０００８】
【特許文献１】
特開平５−５６７２６号公報（特許請求の範囲等）
【特許文献２】
特開平８−２４２７１７号公報（特許請求の範囲等）
【特許文献３】
特開２００１−１６９６１１号公報（特許請求の範囲等）
【特許文献４】
特公平２−５９６８３号公報（特許請求の範囲等）
【特許文献５】
特開平９−２０５９１５号公報（特許請求の範囲等）
【０００９】
【発明が解決しようとする課題】
本発明は、船上から造成予定地に播種したときに、潮流により流失することなく、着実に海底に着床し、効率よくアマモの生育を行いうるアマモ播種用材料を簡単かつ安価に提供することを目的としてなされたものである。
【００１０】
【課題を解決するための手段】
本発明者らは、高品質のアマモ播種用材料を簡単かつ安価に提供するために鋭意研究を重ねた結果、海中の底生生物の中には、周辺物質に付着したり、あるいは周辺物質を捕捉して、自らの棲息場を形成する機能を有するものがあること、及びそれを利用すればアマモ種子を基材に容易に結合しうることを見出し、この知見に基づいて本発明をなすに至った。
【００１１】
すなわち、本発明は、海水よりも大きい比重をもつ非水溶性固体片からなる基材に、底生生物の周辺物質に対する付着又は捕捉機能を利用してアマモ種子を結合担持させてなるアマモ播種用材料、及び海水に、それよりも大きい比重をもつ非水溶性固体片からなる基材と、アマモ種子と周辺物質に対する付着又は捕捉機能をもつ底生生物とを加え、育成することを特徴とするアマモ播種用材料の製造方法を提供するものである。
【００１２】
【発明の実施の形態】
次に添付図面に従って、本発明のアマモ播種用材料を詳細に説明する。
図１は、本発明のアマモ播種用材料１の構成を示す模式図で、この材料は固体片２…、アマモ種子３…及び底生生物の足糸４からなる。このアマモ播種用材料は、播種に先立ち環境変化を来たさないように、底生生物を除去するが、この図においては、この除去後の構造が示されている。
この固体片２は、潮流によりアマモ種子が流失しないように、これを確実に水底に着床させるためのものであり、したがって海水よりも大きい比重をもち、非水溶性の素材の中から選ぶことが必要である。
【００１３】
海水の比重は、通常１．０２〜１．０３であるので、このような素材としては、比重１．０３よりも大きい固体、例えば小石、砂、岩石片のような鉱物類、鉄、銅などの金属類、ガラス、シリカ、アルミナなどのセラミックス、コンクリート、貝殻類などの中から選ばれる。これらは、単独で用いてもよいし、また２種以上組み合わせて用いてもよい。これらの寸法としては、１〜２０ｍｍ、好ましくは２〜１０ｍｍの範囲で選ばれる。
【００１４】
また、これらの固体片２に固定させるアマモ種子３としては、単子葉植物綱オモダカ目ヒルムシロ科及びトチカガミ科に属するもの、例えばアマモ、コアマモ、タチアマモ、オオアマモ、スゲアマモ、ウミヒルモ、ウミジグサ、マツバウミジグサ、ボウバアマモ、リュウキュウスガモ、ベニアマモ、リュウキュウアマモ、ウミショウブなどの種子を用いることもできる。
【００１５】
次に、本発明のアマモ播種用材料においては、上記の固体片２とアマモ種子３とを結合させるために、周辺物質に対する付着又は捕捉機能をもつ底生生物（図示せず）を用いることが必要である。
海中の底生生物の中には、その周辺物質に付着して生活するものや、周辺物質を自分の器官で捕捉して棲息場を形成する機能をもつものが存在する。例えば、二枚貝のウグイスガイ目イガイ科のホトトギスガイは、足糸を用いて周囲の小石や岩石に付着したり、小石、砂、貝殻を集めて棲息場を形成するし、棲管性多毛類のガンゼキフサゴカイは、周囲から材料を集めて棲管を形成することが知られている。
【００１６】
本発明においては、このような底生生物の機能を利用してアマモ種子を小石、砂、貝殻その他の固体片に付着させ、保持することにより流失を抑制し、アマモ種子を造成予定地に確実に着床させる。
【００１７】
本発明のアマモ播種用材料においては、固体片２とアマモ種子３と底生生物（図示せず）とを、底生生物１個体当り固体片８０〜１５０体積部、好ましくは１００体積部、アマモ種子５〜２０体積部、好ましくは１０体積部の範囲内で使用する。
【００１８】
本発明のアマモ播種用材料は、例えば適当な容器に所定割合の固体片とアマモ種子と底生生物とを収容し、これに天然海水を連続的に流入させ、１〜３週間程度培養することによって製造することができる。
このようにして得られたアマモ播種基体は生物作用により生成された物質で比較的強固に保持されているため、温度や塩分などの環境変化によりその保持力が低下することがなく、また天然物のみを使用することにより、これらを多量に蒔いたとしても自然環境に影響を及ぼさないようにして用いることができる。
【００１９】
次に、本発明のアマモ播種用材料を用いてアマモ場を形成するには、これを船上よりそのまま播種して行うことができる。このようにすれば、アマモの種子は海水より比重の大きい小石、砂、貝殻に、例えば貝類の足糸などにより付着、保持されていることから、潮流などに流されることなく容易に目的海域の海底に着床されるとともに、播種用材料の比重が大きく、かつ播種用材料全体の大きさが比較的小さいことから、播種用材料が土壌に次第に被覆される。そして、このように播種用材料が土壌に被覆されると、アマモ種子の流失はもとより、発芽ならびに発育途上にあるアマモの流失が効果的に抑止され、アマモ場生育の基盤機能が確実に保持される。
【００２０】
また、アマモの種子を小石、砂、貝殻に付着、保持する、例えば貝類の足糸などは非常に細いため、アマモの種子の発芽、発根を阻害することなく、発育が良好に行われ、効率的にアマモ場を造成することができる。
【００２１】
【実施例】
次に、実施例により本発明をさらに詳細に説明する。
【００２２】
実施例
小石（平均粒径７ｍｍ）１００体積部、海砂（平均粒径１．１ｍｍ）３００体積部及び貝殻５０体積部、アマモ種子５０体積部の混合物に対し、ホトトギスガイを加え、上部開放容器に収容し、天然海水を注入しながら２週間培養した。この間に、ホトトギスガイは、その足糸を小石、海砂、貝殻及びアマモ種子に絡めてマット状の複合体を形成した。
次いで、この複合体を縦５〜１０ｍｍ、横５〜１０ｍｍ、長さ１５〜２０ｍｍの塊状に粉砕し、アマモ播種用材料を製造した。
このようにして形成されたアマモ播種用材料の顕微鏡写真を図２に示す。
上記のアマモ播種用材料を天然海水流下水槽に蒔き、着床させたところ、順調に発芽し、生育した。
【００２３】
【発明の効果】
本発明によれば、底生生物の作用によりアマモ播種用材料をほとんど人手をかけずに極めて簡易で効率的に製造できるという効果をもたらし、また、このようなアマモ播種用材料を用いて極めて簡易に広大な面積にわたり、アマモ場を造成しうるという利点がある。
【００２４】
また、本発明のアマモ播種用材料は、前述のような構成と作用とを有するので、アマモ株の移植に代わって、アマモ種子を確実に目的海域の海底に着床させ、種子や幼苗の潮流などによる流失を抑止し、発育が良好に行われ、かつ、多量に蒔いたとしても自然環境に影響を及ぼすことなく、アマモ場を簡易、効率的、安価に造成できるものであり、海中光環境などアマモの生育条件を満たす海域に人工的にアマモ場を造成して、沿岸水質環境の浄化と保全を図り、かつ、沿岸漁業の生産性の向上に寄与する。
【図面の簡単な説明】
【図１】本発明のアマモ播種用材料の構成を示す模式図。
【図２】実施例で得たアマモ播種用材料の顕微鏡写真。
【符号の説明】
１  アマモ播種用材料全体
２  固体片
３  アマモ種子
４  足糸
【図１】
2004187519.tif 000002
【図２】
2004187519.tif 000003